(57)【要約】【課題】  岩盤の温度上昇を従来よりも短時間で経済的に実施でき、しかも岩盤を衛生上好ましい状態に維持可能な岩盤温熱浴設備を提供する。【解決手段】  外気から遮断された部屋１１の床に配置された温熱効果を得ることが可能な岩盤部材１２とを備える岩盤温熱浴設備１０であって、岩盤部材１２は、人体が直接的又は間接的に接触する岩盤層１３と、岩盤層１３の下に配置され、内部に電気ヒータ１４が設けられた温熱層１５と、温熱層１５の下に配置される断熱層１６とを有する。【選択図】        図１
0003116841.tif 000002
【実用新案登録請求の範囲】
【請求項１】
外気から遮断された部屋の床に配置された温熱効果を得ることが可能な岩盤部材を備える岩盤温熱浴設備であって、
前記岩盤部材は、人体が直接的又は間接的に接触する岩盤層と、該岩盤層の下に配置され、内部に電気ヒータが設けられた温熱層と、該温熱層の下に配置される断熱層とを有することを特徴とする岩盤温熱浴設備。
【請求項２】
請求項１記載の岩盤温熱浴設備において、前記温熱層と前記断熱層との間には活性炭層が設けられていることを特徴とする岩盤温熱浴設備。
【請求項３】
請求項２記載の岩盤温熱浴設備において、前記活性炭層は竹炭で構成されていることを特徴とする岩盤温熱浴設備。
【請求項４】
請求項１〜３のいずれか１項に記載の岩盤温熱浴設備において、前記岩盤層の厚みは１５ｍｍ以上４０ｍｍ以下であることを特徴とする岩盤温熱浴設備。
【請求項５】
請求項１〜４のいずれか１項に記載の岩盤温熱浴設備において、前記岩盤層の表面側には、ゲルマニウムを含む雲母鉱石、黒鉛珪石、貴陽石、及び弱放射性鉱石のいずれか１又は２以上で形成された板状岩盤の表面が露出していることを特徴とする岩盤温熱浴設備。
【請求項６】
請求項５記載の岩盤温熱浴設備において、前記岩盤層の前記板状岩盤を除く部分は、透水性を備えるセメント材料で構成され、使用にあっては、前記セメント材料で構成される部分に水を含浸させ、その水を蒸発させて、前記部屋内に蒸気を発生させることを特徴とする岩盤温熱浴設備。
【請求項７】
請求項６記載の岩盤温熱浴設備において、前記岩盤層の前記板状岩盤を除く表面側には、セラミック片及び玉石のいずれか１又は２が露出していることを特徴とする岩盤温熱浴設備。
【請求項８】
請求項１〜７のいずれか１項に記載の岩盤温熱浴設備において、前記部屋は家の中の一室又は家の外に設置された簡易型ハウスに設けられることを特徴とする岩盤温熱浴設備。
【考案の詳細な説明】
【技術分野】
【０００１】
本考案は、岩盤を使用した入浴施設である岩盤温熱浴設備に関する。
【背景技術】
【０００２】
従来、入浴施設としては、例えば、湯の入った浴槽、又は熱気によるサウナを備えるものがあるが、温めた岩盤を床に配置したものもある。この岩盤を使用した入浴施設とは、例えば、４０℃以上４７℃以下程度に温めた岩盤上にタオルケットを敷き、その上に利用者が浴着のまま横たわって、温熱効果を得るものである（例えば、特許文献１参照）。
これにより、利用者は、岩盤から放出される遠赤外線によって身体がしんから温められ、例えば、新陳代謝を高める効果を得ることが可能になる。
【０００３】
【特許文献１】特開２００４−１３００４７号公報
【考案の開示】
【考案が解決しようとする課題】
【０００４】
しかしながら、前記従来の岩盤を使用した岩盤温熱浴設備は、熱源（床暖房システム）の上に、熱伝導性が良好でないモルタル層が形成され、このモルタル層の表面側に岩盤が設けられているため、熱源からの熱が岩盤に伝わり難く、効率的に熱利用がなされないという問題があった。また、岩盤の表面が温まるまでに時間を要するため、岩盤表面の温度調整も難しかった。
なお、岩盤温熱浴設備で岩盤浴を行うに際しては、利用者の身体から汗と共に老廃物も流出し易くなるため、岩盤から異臭がする恐れがあった。
【０００５】
本考案はかかる事情に鑑みてなされたもので、岩盤の温度上昇を従来よりも短時間で経済的に実施でき、しかも岩盤を衛生上好ましい状態に維持可能な岩盤温熱浴設備を提供することを目的とする。
【課題を解決するための手段】
【０００６】
前記目的に沿う本考案に係る岩盤温熱浴設備は、外気から遮断された部屋の床に配置された温熱効果を得ることが可能な岩盤部材とを備える岩盤温熱浴設備であって、
前記岩盤部材は、人体が直接的又は間接的に接触する岩盤層と、該岩盤層の下に配置され、内部に電気ヒータが設けられた温熱層と、該温熱層の下に配置される断熱層とを有する。
【０００７】
本考案に係る岩盤温熱浴設備において、前記温熱層と前記断熱層との間には活性炭層が設けられていることが好ましい。
本考案に係る岩盤温熱浴設備において、前記活性炭層は竹炭で構成されていることが好ましい。
本考案に係る岩盤温熱浴設備において、前記岩盤層の厚みは１５ｍｍ以上４０ｍｍ以下であることが好ましい。
【０００８】
本考案に係る岩盤温熱浴設備において、前記岩盤層の表面側には、ゲルマニウムを含む雲母鉱石、黒鉛珪石、貴陽石、及び弱放射性鉱石のいずれか１又は２以上で形成された板状岩盤の表面が露出していることが好ましい。
本考案に係る岩盤温熱浴設備において、前記岩盤層の前記板状岩盤を除く部分は、透水性を備えるセメント材料で構成され、使用にあっては、前記セメント材料で構成される部分に水を含浸させ、その水を蒸発させて、前記部屋内に蒸気を発生させることが好ましい。
【０００９】
本考案に係る岩盤温熱浴設備において、前記岩盤層の前記板状岩盤を除く表面側には、セラミック片及び玉石のいずれか１又は２が露出していることが好ましい。
本考案に係る岩盤温熱浴設備において、前記部屋は家（母家）の中の一室又は家の外に設置された簡易型ハウスに設けられることが好ましい。
【考案の効果】
【００１０】
請求項１〜８記載の岩盤温熱浴設備は、岩盤層の下に電気ヒータが設けられた温熱層が配置されているので、岩盤層に効率的に熱が伝達される。これにより、岩盤層の温度上昇に要する時間を短縮できると共に、温度調整も容易になる。
また、温熱層の下に断熱層が配置されるので、放熱を防止でき、岩盤層の温度上昇に要する時間を更に短縮できる。
特に、請求項２、３記載の岩盤温熱浴設備は、温熱層と断熱層との間に活性炭層が配置されているので、例えば、脱臭及びマイナスイオンによる効果を得ることができ、岩盤への異臭の付着を従来よりも抑制できる。
【００１１】
請求項４記載の岩盤温熱浴設備は、岩盤層の厚みを規定することで、岩盤層に必要な強度を維持しながら、岩盤層の温度上昇に要する時間の短縮を図ることができる。
請求項５〜７記載の岩盤温熱浴設備は、温熱効果に加えて、例えば、遠赤外線及びマイナスイオンによる効果を得ることができる。
【００１２】
請求項６記載の岩盤温熱浴設備は、岩盤層の透水性を備えるセメント材料で構成された部分に水を浸透させることにより、板状岩盤への熱伝導を更に向上できると共に、吸収された水を蒸気として蒸発させることにより、部屋内でミストサウナ効果を得ることができる。
請求項８記載の岩盤温熱浴設備は、床に岩盤部材を備える部屋を家の中の一室に設ける場合、家内で岩盤浴ができる。
また、部屋を家の外に配置された簡易型ハウスに設ける場合、例えば、家の庭に簡易型ハウスである例えばログハウスを設置し、その部屋の床に岩盤部材を配置する。これにより、庭がある家であればどこでも、岩盤浴ができる。
【考案を実施するための最良の形態】
【００１３】
続いて、添付した図面を参照しつつ、本考案を具体化した実施の形態につき説明し、本考案の理解に供する。
ここで、図１（Ａ）〜（Ｃ）はそれぞれ本考案の一実施の形態に係る岩盤温熱浴設備が設けられたログハウスの正面図、側面図、内部の平断面図、図２（Ａ）、（Ｂ）はそれぞれ同岩盤温熱浴設備が設けられたログハウスの壁の部分断面図、屋根の部分断面図、図３は同岩盤温熱浴設備の岩盤部材の側断面図、図４は同岩盤部材を分解した部分斜視図である。
【００１４】
図１〜図４に示すように、本考案の一実施の形態に係る岩盤温熱浴設備１０は、外気から遮断された部屋１１の床に配置された温熱効果を得ることが可能な岩盤部材１２を備えており、岩盤部材１２は、人体が直接的又は間接的に接触する岩盤層１３と、岩盤層１３の下に配置され、内部に電気ヒータ１４が設けられた温熱層１５と、温熱層１５の下に配置される断熱層１６とを有している。なお、この部屋１１は、家の外（例えば、家の庭又は駐車場）に設置された簡易型ハウスの一例であるログハウス１７に形成されている。以下、詳しく説明する。
【００１５】
図１（Ａ）〜（Ｃ）に示すように、ログハウス１７は、岩盤浴を行う利用者の出入りを可能にする開閉扉１８と、窓１９と、内部の明るさを調整する照明（図示しない）とを有しており、開閉扉１８及び窓１９を閉めた状態では、部屋１１が外気から遮断される。また、ログハウス１７は、部屋１１の湿度を調節可能な湿度調整器及び換気扇のいずれか１又は２を有している。
なお、ログハウス１７の部屋１１の広さは、例えば、１人又は複数人が同時に横たわって、岩盤浴ができる程度（例えば、一辺が１．５ｍ以上５ｍ以下程度）になっている。
【００１６】
図２（Ａ）に示すように、ログハウス１８の壁２０は、内側から外側へかけて、浴室用壁材２１（例えば、厚みが１０ｍｍ以上３０ｍｍ以下）、防水シート２２、発泡ポリエチレン製断熱材２３（例えば、厚みが３０ｍｍ以上７０ｍｍ以下程度）、防水シート２４、フェルト２５、及び外壁材２６を順次配置して構成されている。また、図２（Ｂ）に示すように、ログハウス１８の屋根２７は、内側から外側へかけて、浴室用壁材２８（例えば、厚みが１０ｍｍ以上３０ｍｍ以下）、防水シート２９、鉄板３０、発泡ポリエチレン製断熱材３１（例えば、厚みが５０ｍｍ以上１５０ｍｍ以下程度）、防水シート３２、フェルト３３、及び屋根瓦３４を順次配置して構成されている。
これにより、ログハウス１７の部屋１１の温度及び湿度が、外気の影響を受けにくくなると共に、部屋１１内の蒸気が外部へ漏れ出すことを防止している。
【００１７】
図３、図４に示すように、この部屋１１の床は主として、上から下へかけて、岩盤層１３、温熱層１５、活性炭層３５、コンクリート層３６、断熱層１６、及び基礎コンクリート層３７を積層した岩盤部材１２によって構成されている。なお、別に床を設けその上に岩盤部材を設置することもできる。
岩盤層１３は、厚みが１５ｍｍ以上４０ｍｍ以下（好ましくは、上限を３０ｍｍ、更に好ましくは２５ｍｍ）の層であり、岩盤浴を行う利用者３８の荷重に耐え得ることができると共に、岩盤層１３の下に配置される温熱層１２からの熱を、岩盤層１３の全体に渡って略均一に伝達し易くなる厚みとしている。
【００１８】
岩盤層１３には、ゲルマニウムを含む雲母鉱石（例えば、ホルンフェルス）、黒鉛珪石（ブラックシリカともいう）、貴陽石、及び弱放射性鉱石（例えば、ラジウム含有鉱石）のいずれか１又は２以上で構成される板状岩盤３９が配置されている。この板状岩盤３９の厚みは、岩盤層１３の厚みと同等であって、岩盤層１３の表面側に板状岩盤３９の表面が露出している。なお、板状岩盤の厚みは、岩盤層の厚みより薄くしてもよいが、この場合、岩盤層の表面側に、板状岩盤の表面が露出するように配置する。
また、板状岩盤３９は、岩盤浴の利用者３９の少なくとも背中、腰、又は足首に接触すればよいため、例えば、一辺が３００ｍｍ以上５００ｍｍ以下のものを複数枚（ここでは３枚又はその倍数）、適宜間隔を開けて配置しているが、連接して配置することも可能である。
【００１９】
この岩盤層１３のうち、板状岩盤３９が配置されない部分、即ち隣り合う板状岩盤３９の間、及びこの板状岩盤３９の両側には、透水性を備えるセメント材料で構成された透水部４０が設けられている。この透水部４０には、セラミック片４１及び玉石４２のいずれか１又は２が散りばめられ、しかもその表面が透水部４０の表面側に露出した状態で埋め込まれている。なお、玉石４２としては、板状岩盤３９と同一成分のものを使用できる。
この透水部４０は、セメントに正土と土地改良剤を添加して固化させたものであり、その製造方法は、例えば、セメント１５ｋｇ以上１７．５ｋｇ以下に対し、正土を０．１０ｍ3 、土地改良剤（ＳＬ−１０００：有限会社ＳＬ化学研究所製）を１．８リットル、板状岩盤３９に使用する鉱石の粉状物を３００ｇ以上５００ｇ以下加え、これらに水を適量（２５リットル程度）加えて、混練機である平ミキサーで混合し、固化させる。
これにより、例えば、厚みが５ｃｍ、表面積が２ｍ2 の成形体を形成できる。
【００２０】
なお、土地改良剤として使用するＳＬ−１０００は、アルカリ金属化合物６４質量％、アルカリ土類金属化合物２０質量％、窒素化合物６質量％、その他成分１０質量％からなる液体薬剤である。
例えば、有機物を含んだ土、粒子の小さな土（例えば、正土）、又は油分を含んだ土の固化に際しては、セメントのみでは固まりにくいという問題がある。有機物は、土粒子の周りの付着水に溶け込んで、セメント凝結反応の主反応物質であるカルシウムイオンと土粒子との直接接触を妨げ、同時に、水和凝結反応に対しても負の働きをして固化を妨げるため、セメントの安定固化ができなくなる。
しかしながら、土地改良剤を添加することにより、土壌粒子を構成する無機成分の凝結を促進できる。
【００２１】
セメントが硬化する過程では、セメントの主成分であるケイ酸三石灰（３ＣａＯ・ＳｉＯ2 ）、並びにアルミン酸三石灰（３ＣａＯ・Ａｌ2 Ｏ3 ）のような、不安定なカルシウムイオン塩が加えられた水相にカルシウムイオンを与え、その結果、アルカリ性となった水相の中で、相互の水和反応が進行して、安定したカルシウム塩の水和物となる。
一方、土の成分中には、一次鉱物として、例えば、石英、長石、又は雲母があり、二次鉱物として、腐食土などの有機物が含まれており、これらのものが土とセメント混合物の固化を阻害すると考えられている。即ち、腐植土の主成分であるフミン酸は、強い酸性物質であり、セメントの主成分と反応してフミン酸カルシウムとなる。このフミン酸カルシウムが、セメントの水和反応に必要なアルカリ性水相の形成を阻害することになり、セメントの固化に支障をきたすものと考えられる。
【００２２】
そこで、ＳＬ−１０００を使用し、正土の成分である二酸化珪素（ＳｉＯ2 ）又は酸化アルミニウム（Ａｌ2 Ｏ3 ）とも反応して水和物を形成し、正土を硬化させている。
このように、セメントに正土及び土地改良剤を混合して固化させることによる特徴は、土粒子の表面と結合したセメント溶解成分が水和反応により各種の水和物を生成し、針状結晶が成長し、土粒子間を結び強度を増していく点にある。そして、固化した透水部４０の内部には、無数の連続気孔が形成され、全体的に、例えば、通気性、透水性、及び保水性を備えることができる。
【００２３】
岩盤層１３の下に配置される温熱層１５は、厚みが３０ｍｍ以上７０ｍｍ以下（ここでは５０ｍｍ）の層である。
この温熱層１５は、前記した透水部４０と同様のもので構成でき、その内部上側に、電気ヒータ１４が設けられている。なお、電気ヒータとしては、従来公知のもの（例えば、紐状の発熱部を備えた加熱装置、又はホットカーペットのような面状の暖房装置）を使用できる。ここでは、発熱部を平面視して蛇行させて配置している。
これにより、温熱層１５内部に形成される無数の連続気孔内の空気を加熱しながら、更には、岩盤層１３の透水部４０内に形成される無数の連続気孔内の空気を加熱しながら、岩盤層１５を裏面側から均等に加熱できる。
温熱層１５の下に配置される活性炭層３５は、厚みが１０ｍｍ以上５０ｍｍ以下（ここでは３０ｍｍ）の層であり、例えば、竹炭又は球状の活性炭を使用できるが、特に竹炭を使用することが好ましい。なお、竹炭を使用した活性炭層は、例えば、小片の竹炭を多数積み重ねることで形成することが好ましいが、長尺のものを使用して形成することも可能である。
【００２４】
活性炭層３５の下に配置されるコンクリート層３６は、厚みが３０ｍｍ以上７０ｍｍ以下（ここでは５０ｍｍ）の層である。このコンクリート層３６に使用する材料は、前記した岩盤層１３の透水部４０及び温熱層１５のように、内部に連続気孔が設けられたものではなく、緻密構造のものであり、床の強度を高めるものである。
コンクリート層３６の下に配置される断熱層１６は、厚みが５０ｍｍ以上１５０ｍｍ以下（ここでは１００ｍｍ）の層である。この断熱層１６に使用する材料としては、例えば、建築用の発泡ポリエチレン製断熱材を使用できる。
断熱層１６の下に配置される基礎コンクリート層３７は、厚みが５０ｍｍ以上１００ｍｍ以下の層である。この基礎コンクリート層３７に使用する材料は、コンクリート層３６と同様緻密構造のものである。
【００２５】
以上のように、母家の外に配置されたログハウス１７の部屋１１の床を岩盤部材１２によって構成した場合について説明したが、岩盤温熱浴設備を家の中の一室に設けることもできる。この場合、例えば家の中のほとんど使用されていない一室の床に岩盤部材を設置することにより、家の空きスペースを利用できる。
なお、家の１階の部屋を使用する場合は、床に配置される岩盤部材の構成を、上記した岩盤部材の構成と同一にする。しかし、家の２階以上の部屋を使用する場合は、床に配置される岩盤部材の基礎コンクリート層の代わりに、防水シートを使用した岩盤部材を使用する。
【００２６】
続いて、本考案の一実施の形態に係る岩盤温熱浴設備１０の使用方法について説明する。
まず、ログハウス１７の内部及び外部のいずれか１又は２に設置された電気ヒータ１４の操作部（図示しない）を操作して、電気ヒータ１４に通電を行い、岩盤部材１２の板状岩盤３９の表面温度を、例えば、４０℃以上５０℃以下程度に調整する。なお、部屋１１内の湿度は、例えば、８０％以上９０％以下程度に調整する。
部屋１１内の温度及び湿度が、目的とする条件に到達したら、図３に示すように、岩盤浴を行う利用者３８は、岩盤層１３の表面にタオルケット（図示しない）を敷き、その上に浴着を着用したまま横たわって、岩盤浴を行う。
【００２７】
このように、利用者３８は、浴着及びタオルケットにより、間接的に岩盤層１３の上に横たわっているが、岩盤層１３表面の温度及び部屋内の湿度調整を行って、浴着及びタオルケットを使用することなく、岩盤層１３の上に直接的に横たわってもよい。
また、岩盤層１３の透水部４０に、水を含浸させることにより、熱によってそれらが蒸発し、ミストサウナ効果を得ることもできるが、特には、ラジウム温泉水を含浸させることにより、部屋１１内にこれらの蒸気を充満させ、その蒸気を浴びることが好ましい。
【００２８】
以上、本考案を、実施の形態を参照して説明してきたが、本考案は何ら上記した実施の形態に記載の構成に限定されるものではなく、実用新案登録請求の範囲に記載されている事項の範囲内で考えられるその他の実施の形態や変形例も含むものである。例えば、前記したそれぞれの実施の形態や変形例の一部又は全部を組合せて本考案の岩盤温熱浴設備を構成する場合も本考案の権利範囲に含まれる。
また、前記実施の形態においては、透水部を構成する材料にセメント、正土、及び土地改良剤を使用した場合について説明したが、内部に連続気孔が構成されれば、他の材料も使用できる。
【図面の簡単な説明】
【００２９】
【図１】（Ａ）〜（Ｃ）はそれぞれ本考案の一実施の形態に係る岩盤温熱浴設備が設けられたログハウスの正面図、側面図、内部の平断面図である。
【図２】（Ａ）、（Ｂ）はそれぞれ同岩盤温熱浴設備が設けられたログハウスの壁の部分断面図、屋根の部分断面図である。
【図３】同岩盤温熱浴設備の岩盤部材の側断面図である。
【図４】同岩盤部材を分解した部分斜視図である。
【符号の説明】
【００３０】
１０：岩盤温熱浴設備、１１：部屋、１２：岩盤部材、１３：岩盤層、１４：電気ヒータ、１５：温熱層、１６：断熱層、１７：ログハウス、１８：開閉扉、１９：窓、２０：壁、２１：浴室用壁材、２２：防水シート、２３：発泡ポリエチレン製断熱材、２４：防水シート、２５：フェルト、２６：外壁材、２７：屋根、２８：浴室用壁材、２９：防水シート、３０：鉄板、３１：発泡ポリエチレン製断熱材、３２：防水シート、３３：フェルト、３４：屋根瓦、３５：活性炭層、３６：コンクリート層、３７：基礎コンクリート層、３８：利用者、３９：板状岩盤、４０：透水部、４１：セラミック片、４２：玉石
【図１】
0003116841.tif 000003
【図２】
0003116841.tif 000004
【図３】
0003116841.tif 000005
【図４】
0003116841.tif 000006